(57)【特許請求の範囲】
【請求項１】
植物の生育、およびクラウドへの生育情報の送信ならびに前記クラウドからの育成制御情報の受信を行う栽培装置と、
前記クラウドにより解析された、前記生育情報ならびに前記育成制御情報の少なくともいずれかに関する解析結果の受信、および前記解析結果に基づく育成制御情報の前記クラウドを介した前記栽培装置への送信を行う通信端末と、を含み、
前記クラウドにより解析された前記解析結果は、前記クラウドによる自動フィードバックによって提案された育成制御案、または前記生育情報の解析結果が簡易表示形式に変換された情報であり、
前記育成制御情報がＬＥＤ照明装置における光照射制御情報を含み、
前記生育情報が、一の通信端末によって制御される前記植物の、一の生育過程における異なる時期の複数の画像を含み、
前記画像は、撮像装置により前記植物が撮像される場合に、白色光を撮像のタイミングに連動して発光させて撮像され、
前記クラウドにより作成された、前記複数の画像で構成されるアニメーションオブジェクトを、他の通信端末に表示する、栽培システム。
【請求項２】
前記育成制御情報は、二酸化炭素濃度、気温、湿度、照度、微小粒子状物質、気流、水温、水中成分、養分、根圏環境構成要素、水流、放射線量、重量の少なくともいずれか１つを含む、請求項１記載の栽培システム。
【請求項３】
前記通信端末から前記栽培装置へ送信される育成制御情報のうちの一部が、前記クラウドによる自動フィードバックによって提案された育成制御情報案に基づく、請求項１または２記載の栽培システム。
【請求項４】
前記クラウドを介して一の栽培装置を制御する一の通信端末が、他の通信端末が前記クラウドを介して制御した他の栽培装置における育成制御情報を入手可能であり、
前記一の通信端末から前記一の栽培装置へ送信される育成制御情報のうちの一部が、入手された育成制御情報である、１から３のいずれか１項に記載の栽培システム。
【請求項５】
前記クラウドを介して一の栽培装置を制御する一の通信端末が、他の通信端末が前記クラウドを介して制御した他の栽培装置における育成制御情報を購入可能であり、
前記購入された育成制御情報が、前記植物の生育による収穫物の味覚、栄養素、外観、大きさ、形状、購入数、再購入率ならびに購入層、および前記育成制御情報の購入数ならびに購入層の少なくともいずれかに応じて異なる値段が付されている、請求項１から４のいずれか１項に記載の栽培システム。
【請求項６】
前記他の通信端末は、前記一の通信端末を含む複数の通信端末によって前記栽培装置で育成制御された前記植物の前記アニメーションオブジェクトを、互いに比較可能に表示する、請求項１に記載の栽培システム。
【請求項７】
前記栽培装置が、前記植物への光照射を行う照明装置であって、光源と、前記光源を固定する基板とを含み、前記基板が他の基板との結合により拡張可能な形状を有する照明ユニットにより構成される照明装置を含み、
前記育成制御情報が前記照明装置における光照射制御情報を含む、請求項１から６のいずれか１項に記載の栽培システム。
【請求項８】
前記植物の育成制御情報を有する近距離無線通信装置をさらに含み、
前記通信端末が、前記近距離無線通信装置から前記育成制御情報を受信し、受信した前記育成制御情報を前記クラウドを介して前記栽培装置を制御する、請求項１から７のいずれか１項に記載の栽培システム。
【請求項９】
コンピュータに実行させるための栽培装置のプログラムであって、
植物の生育を行う栽培装置が、クラウドへの生育情報の送信と前記クラウドからの育成制御情報の受信を行う処理と、
前記クラウドが、生育情報ならびに育成制御情報の少なくともいずれかを解析する処理と、
通信端末が、前記クラウドによる解析結果の受信、および前記解析結果に基づく育成制御情報の前記クラウドを介した前記栽培装置への送信を行う処理と、を含み、
前記クラウドにより解析された前記解析結果は、前記クラウドによる自動フィードバックによって提案された育成制御案、または前記生育情報の解析結果が簡易表示形式に変換された情報であり、
前記育成制御情報がＬＥＤ照明装置における光照射制御情報を含み、
前記生育情報が、一の通信端末によって制御される前記植物の、一の生育過程における異なる時期の複数の画像を含み、
前記画像は、撮像装置により前記植物が撮像される場合に、白色光を撮像のタイミングに連動して発光させて撮像され、
前記クラウドにより作成された、前記複数の画像で構成されるアニメーションオブジェクトを、他の通信端末に表示する表示処理と、をコンピュータに実行させるための栽培装置のプログラム。
【請求項１０】
植物の生育を行う栽培装置が、クラウドへの生育情報の送信と前記クラウドからの育成制御情報の受信を行う工程と、
前記クラウドが、生育情報ならびに育成制御情報の少なくともいずれかを解析する工程と、
通信端末が、前記クラウドによる解析結果の受信、および前記解析結果に基づく育成制御情報の前記クラウドを介した前記栽培装置への送信を行う工程と、を含み、
前記クラウドにより解析された前記解析結果は、前記クラウドによる自動フィードバックによって提案された育成制御案、または前記生育情報の解析結果が簡易表示形式に変換された情報であり、
前記育成制御情報がＬＥＤ照明装置における光照射制御情報を含み、
前記生育情報が、一の通信端末によって制御される前記植物の、一の生育過程における異なる時期の複数の画像を含み、
前記画像は、撮像装置により前記植物が撮像される場合に、白色光を撮像のタイミングに連動して発光させて撮像され、
前記クラウドにより作成された、前記複数の画像で構成されるアニメーションオブジェクトを、他の通信端末に表示するための表示工程をさらに含む、栽培装置の方法。
【発明の詳細な説明】
【技術分野】
【０００１】
本発明は、野菜、果物、草花等の植物を生育するための栽培装置における栽培システム、栽培プログラム、および栽培方法に関する。
【背景技術】
【０００２】
従来から、栽培装置について多種多様の実験および研究が行われている。特許文献１には、栽培環境を人工的に制御し、育成と観測とを両立する光源を備えた植物栽培システムについて開示されている。【０００３】
特許文献１記載の植物栽培システムは、屋内で植物を栽培する植物栽培システムであって、植物を栽培するための仕切られた空間である栽培セルと、植物の栽培を管理する管理手段とを備え、栽培セルは、植物を栽培するための移動可能なラックである栽培ラックと、仕切られた空間への太陽光の入射を遮断する遮光手段を備え、栽培ラックは、植物を栽培する栽培棚と、植物に照射する光を制御する光制御手段とを備え、栽培棚は、光制御手段の制御の下で、複数の発光ダイオードを有する発光体モジュールの照射量を調整することにより植物に光を照射する光源と、発光体モジュールの照射の下で植物を観測して観測データを取得し、取得した観測データを管理部に送信する観測手段とを備え、発光体モジュールは、第１のスペクトルの光を発する１つの第１発光ダイオードと、第１発光ダイオードを中心とする第１円の円周上に配置され、第２のスペクトルの光を発するｍ（ｍは２以上の整数）個の第２発光ダイオードと第１発光ダイオードを中心とする第２円の円周上に配置され、第３のスペクトルの光を発するｎ（ｎは２以上の整数）個の第３発光ダイオードとを有し、第１のスペクトルと第２のスペクトルと第３のスペクトルとは互いに異なり、第２発光ダイオードは、第１発光ダイオードを始点として各第３発光ダイオードを通る半直線で分割された第１円のｎ個の弧のそれぞれに数が等しくなるように配置され、管理手段は、観測データを観測手段から取得する受信手段と、受信手段が取得した観測データを記録するライブラリと、受信手段が取得した観測データとライブラリが記録している植物と同種の植物の過去の観測データとを比較して、植物の収穫日を予測する計算手段を備えるものである。【０００４】
また、特許文献２には、家庭のベランダやバルコニー等に簡単に設置でき、コンピュータ制御により栽培管理できる栽培ユニットについて開示されている。
特許文献２記載の栽培ユニットにおいては、培土を充填する栽培ベッドと、栽培ベッドの少なくとも上部に被せるカバー材と、水タンク、液体肥料タンク、該水タンクと該液体肥料タンクに接続して培土に水および液体肥料を供給する配管を備えた灌水・施肥手段と、培土の保水量を測定する水分計と、水分計から入力される測定値に基づいて灌水・施肥手段から供給する水および液体肥料の供給量並びに供給時を、栽培する植物毎に調整して、培土中の保水量を設定量に保持し、栽培ベッドから排水を生じさせないように制御をする栽培管理プログラムを記録するコンピュータを備え、カバー材に透明部と、害虫の侵入を阻止できる網目としたメッシュ張架部と、開閉部を備え、灌水・施肥手段はカバー材若しくは栽培ベッドの外側面、または栽培ベッドの下部に付設して予め一体的に組み立てており、かつ、コンピュータを栽培者が操作可能な位置に付設し、あるいは栽培者のコンピュータと接続可能とし、栽培者が栽培条件の設定を変更可能としているものである。【０００５】
さらに特許文献３には、様々な種類の植物に幅広く適用が可能であるとともに、雑菌等の繁殖を抑え、植物の成長を促進して効率良く栽培をおこなうことができる植物栽培システムについて開示されている。【０００６】
特許文献３記載の植物栽培システムにおいては、栽培植物が植え付けられ、上下複数段に、且つそれぞれ略水平をなして配設保持される栽培ベッドと、各栽培ベッドの上方に設けられ、栽培植物の成長に応じて上下に移動させられる人工光源と、送風口または送風ファンを有し、各栽培ベッドの一方側から他方側に向かって形成される空気通路に、温度、湿度、ＣＯ２濃度等が調整された空気を順次送り込む空調装置と、を備えた植物栽培システムであって、該栽培ベッドが、上部開放箱型の栽培槽と、該栽培槽の上部に嵌着され、該栽培槽の底面との間に、養液の流路を形成するとともに、該流路に向けて植物根が露出するようにして栽培植物を植付状態とする植付パネルと、から構成され、該栽培ベッドに供給される養液が、該流路を連続的に通過して排出された後に循環して再利用されるとともに、該養液が、該流路に間欠的に流入するように制御されているものである。【０００７】
【特許文献１】特開２０１２−３９９９６号公報
【特許文献２】特開２０１１−３６１４５号公報
【特許文献３】特開２０１０−８８４２５号公報
【発明の開示】
【発明が解決しようとする課題】
【０００８】
しかしながら、特許文献１乃至３の栽培システムのいずれも、身近に栽培装置を設置し、植物の栽培を実施するものである。また、特許文献１乃至３の栽培システムのいずれも、単に各個人が独りで栽培を行なうことができる栽培システムである。【０００９】
本発明の目的は、栽培ユニットから遠方にいる場合であっても記録された履歴情報を確認できるとともに植物の生育を実現できる栽培システム、栽培プログラム、および栽培方法を提供することである。
さらに本発明の目的は、栽培システム、栽培プログラム、および栽培方法が、ユーザが栽培装置に対して行った制御に関する情報をビッグデータとして活用し、自動解析によって栽培システム内で利用可能な態様でユーザに還元することで、栽培システム、栽培プログラム、および栽培方法の利用を促進し、より有用な植物創出への好循環を生じさせることにある。
【課題を解決するための手段】
【００１０】
（１）
一局面に従う栽培システムは、クラウドとの通信が可能な栽培装置と通信端末と含む。
栽培装置は、植物の生育、およびクラウドへの生育情報の送信ならびにクラウドからの育成制御情報の受信を行う。
通信端末は、クラウドにより解析された、生育情報ならびに育成制御情報の少なくともいずれかに関する解析結果の受信、および解析結果に基づく育成制御情報のクラウドを介した栽培装置への送信を行う。【００１１】
これによって、ユーザによって制御される栽培装置が送信した生育情報および当該栽培装置へ送信された育成制御情報がクラウドにより解析される。なおかつ、生育情報および育成制御情報の解析結果が、システム内の栽培装置への制御のためにユーザ自身で利用可能な態様で還元される。これによって、ユーザによる栽培システムの利用が促進され、より有用な植物創出への好循環が起こる。【００１２】
なお、通信端末には、スマートフォン、タブレット端末、パーソナルコンピュータなどの、クラウド通信可能なデジタル通信機器が含まれる。【００１３】
栽培装置から送信された生育情報、クラウドによる解析情報、および通信端末からクラウドへ送信した育成制御情報を記録する記録装置は、クラウドに含まれることが好ましい。【００１４】
（２）
クラウドにより解析された解析結果は、クラウドによる自動フィードバックによって提案された育成制御案であってよい。【００１５】
この場合、生育状態に応じて育成制御条件をクラウドが自動的に提案するため、ユーザは提案された育成制御情報を選択することにより、クラウドによる解析結果を自身が制御する栽培装置の制御に利用することができる。したがって、ユーザは、育成工程のうち全部または一部の工程、および同時に供すべき複数の育成条件のうち全部または一部の条件の少なくともいずれかを、クラウドの判断に委ねることができる。【００１６】
（３）
クラウドにより解析された解析結果は、生育情報の解析結果が簡易表示形式に変換された情報であってよい。【００１７】
この場合、生育状態についての解析結果が、ユーザが一見して把握容易な形式で表示されるため、生育状態を容易に把握することができる。特に、たとえば研究者および生産者などの専門家によって（専門情報として、または勘として）扱われていた生育状態に関する有用な情報を、専門知識のない一般ユーザが容易に扱うことができる。
したがって、簡易表示形式で変換された情報に基づいてユーザが育成制御条件を自ら設定することができる。【００１８】
（４）
通信端末から栽培装置へ送信される育成制御情報のうちの一部は、クラウドによる自動フィードバックによって提案された育成制御情報案に基づいてよい。【００１９】
この場合、ユーザは、育成工程のうち一部の工程のみ、および同時に供すべき複数の育成条件のうち一部の条件の少なくともいずれかにおいて、育成制御情報をクラウドの判断に委ねることができる。なお、他の工程および／または他の条件においては、たとえば、自らの判断、自らの経験則、他のユーザの判断、および他のユーザの経験則（他のユーザから入手した育成制御情報を含む）の少なくともいずれかに基づいて育成制御条件を設定することができる。このようにして、ユーザオリジナルの育成制御情報を容易に構築することができる。【００２０】
（５）
クラウドを介して一の栽培装置を制御する一の通信端末は、他の通信端末がクラウドを介して制御した他の栽培装置における育成制御情報を入手可能であってよい。この場合において、一の通信端末から一の栽培装置へ送信される育成制御情報のうちの一部が、入手された育成制御情報である。【００２１】
この場合、ユーザは、育成工程のうち一部の工程のみ、および同時に供すべき複数の育成条件のうち一部の条件の少なくともいずれかにおいて、他のユーザから入手した育成制御情報を利用することができる。一方、他の工程および／または他の条件においては、たとえば、自らの判断、自らの経験則、およびクラウドの判断の少なくともいずれかに基づいて育成制御情報を設定することができる。なお、育成制御情報の入手には、有償（購入によるもの）および無償（寄贈によるもの）を問わない。【００２２】
（６）
クラウドを介して一の栽培装置を制御する一の通信端末は、他の通信端末がクラウドを介して制御した他の栽培装置における育成制御情報を購入可能であてよい。この場合、購入された育成制御情報が、植物の生育による収穫物の味覚、栄養素、外観、大きさ、形状、購入数、再購入率ならびに購入層、および当該育成制御情報の購入数ならびに購入層の少なくともいずれかに応じて異なる値段が付される。【００２３】
これによって、収穫物の評価に応じた値段設定が可能である。なお、購入層としては、一般家庭、飲食店、研究者、および農業従事者が挙げられる。また、育成制御情報の値段は、現金および仮想通貨の少なくともいずれかによって取引される、育成制御情報に対する対価である。【００２４】
（７）
栽培装置から送信される生育情報は、一の通信端末によって制御される植物の、一の生育過程における異なる時期の複数の画像を含んでよい。この場合、当該複数の画像で構成されるアニメーションオブジェクトがクラウドにより作成され、他の通信端末に表示される。【００２５】
これによって、他のユーザは、一のユーザによって制御される生育の現状を、アニメーションオブジェクトによって、きわめて短時間で確認することができる。また、アニメーションオブジェクトはクラウドにより作成されるため、ユーザによる改変のおそれがなく、データの信頼性を担保することができる。【００２６】
（８）
他の通信端末は、一の通信端末を含む複数の通信端末によって制御される植物のアニメーションオブジェクトを、互いに比較可能に表示してよい。【００２７】
これによって、ユーザは、他の複数のユーザによって制御される複数の生育の現状を、比較可能に表示されたそれぞれのアニメーションオブジェクトによって、きわめて効率よく確認することができる。
したがって、たとえば他のユーザによる育成制御情報を購入したい場合に、良好な生育結果を得るための育成制御情報に効率よくアクセスすることができる。【００２８】
（９）
栽培装置は、植物への光照射を行う照明装置を含み、育成制御情報は、照明装置における光照射制御情報を含んでよい。この場合、照明装置は、光源と、光源を固定する基板とを含み、基板が他の基板との結合により拡張可能な形状を有する照明ユニットにより構成される。【００２９】
照明ユニットによって、光照射対象となる植物、および照明装置が設置された栽培装置等の様々な状況に応じ、所望の大きさおよび形状を有する照明装置を構成することができる。したがって、たとえば、良好な照射効率の確保、および照射むらの防止等が可能になる。【００３０】
（１０）
本発明の栽培システムは、植物の育成制御情報を有する近距離無線通信装置をさらに含んでよく、この場合通信端末は、近距離無線通信装置から育成制御情報を受信し、受信した育成制御情報をクラウドを介して前記栽培装置を制御する。【００３１】
これによって、クラウドを介さずに育成制御情報を取得することも可能になる。たとえば、育成の全過程にわたって適用可能な育成制御情報を効率よく習得し、栽培システムで利用することができる。またたとえば、もともとクラウドに蓄積されていない植物についての希少な育成制御情報を近距離無線通信装置から取得し、栽培システムで利用することができる。【００３２】
（１１）
他の局面に従う栽培プログラムは、栽培装置が、クラウドへの生育情報の送信とクラウドからの育成制御情報の受信を行う処理と；クラウドが、生育情報ならびに育成制御情報の少なくともいずれかを解析する処理と；通信端末が、クラウドによる解析結果の受信、および解析結果に基づく育成制御情報のクラウドを介した栽培装置への送信を行う処理とを含む。【００３３】
（１２）
さらに他の局面に従う栽培方法は、栽培装置が、クラウドへの生育情報の送信とクラウドからの育成制御情報の受信を行う工程と；クラウドが、生育情報ならびに育成制御情報の少なくともいずれかを解析する工程と；通信端末が、クラウドによる解析結果の受信、および解析結果に基づく育成制御情報のクラウドを介した栽培装置への送信を行う工程とを含む。【００３４】
これら栽培プログラムおよび栽培方法によって、ユーザによって制御される栽培装置が送信した生育情報および当該栽培装置へ送信された育成制御情報がクラウドにより解析される。なおかつ、生育情報および育成制御情報の解析結果が、システム内の栽培装置への制御のためにユーザ自身で利用可能な態様で還元される。これによって、ユーザによる栽培システムの利用が促進され、より有用な植物創出への好循環が起こる。
【図面の簡単な説明】
【００３５】
【図１】一実施の形態にかかる栽培システムの基本概略の構成を説明するための模式図である。
【図２】図１の栽培システムの全体概略を説明するための模式図である。
【図３】栽培装置の一例を示す模式図である。
【図４】第１実施形態の照明ユニットの模式的正面図である。
【図５】照明ユニットを複数連結させた照明装置の一部を示す模式的正面図である。
【図６】第１実施形態の照明ユニットの他の例の模式的正面図である。
【図７】第１実施形態の照明ユニットのさらなる他の例の模式的正面図である。
【図８】第１実施形態の照明ユニットのさらなる他の例の模式的正面図である。
【図９】照明装置の他の例の一部を示す模式的正面図である。
【図１０】照明装置のさらなる他の例の一部を示す模式的正面図である。
【図１１】照明装置のさらなる他の例の一部を示す模式的斜視図である。
【図１２】照明装置のさらなる他の例の一部を示す模式的一部切り欠き斜視図である。
【図１３】栽培システムにおける制御の一例を示すフローチャートである。
【図１４】携帯通信端末の表示画面の一例を示す模式図である。
【図１５】携帯通信端末の表示画面の他の例を示す模式図である。
【図１６】携帯通信端末の表示画面の他の例を示す模式図である。
【図１７】記録装置の育成制御情報のデータマイニングの一例を示すフローチャートである。
【図１８】近距離無線通信装置を用いる一例を説明するためのフローチャートである。
【図１９】携帯通信端末の表示画面の他の例を示す模式図である。
【図２０】育成制御情報のマーケットのサイトマップの一例を示す模式図である。
【符号の説明】
【００３６】
１００  栽培システム
２００  携帯通信端末
３００  栽培装置
３１０  照明装置
４００  記録装置
５００  クラウド
【発明を実施するための形態】
【００３７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３８】
（栽培システムの構成概略）
図１は、一実施の形態にかかる栽培システム１００の基本概略の構成を説明するための模式図であり、図２は、図１の栽培システム１００の全体概略を説明するための模式図である。
【００３９】
図１に示すように、栽培システム１００は、携帯通信端末２００、栽培装置３００および記録装置４００を含む。
【００４０】
携帯通信端末２００には、アプリケーションソフトウェア（アプリケーションプログラムとも称呼される、以下、単にアプリと略記する）７００がインストールされる。アプリ７００は、起動前においては、表示画面２１０にアイコンとして表示されている。アイコンには、後述のようにクラウド５００から情報を受信した場合にアイコンバッジが表示されてもよい。アプリ７００を起動させることにより、携帯通信端末２００のユーザが自らの操作により栽培装置３００を遠隔制御して植物を育成できる。
【００４１】
栽培装置３００は、植物の生育と、クラウド５００への生育情報の送信と、クラウド５００からの育成制御情報の受信を行う。クラウド５００は、栽培装置３００から送信された植物の生育情報を解析する。
【００４２】
携帯通信端末２００は、クラウド５００による解析結果を受信する。通信端末２００は、当該解析結果に基づく育成制御情報をクラウド５００を介して栽培装置３００へ送信する。栽培装置３００へ送信された育成制御情報もまた、クラウド５００による解析に用いられる。栽培装置３００は、携帯通信端末２００から受信した育成制御情報に従い、栽培装置３００に設けられた各種機器の制御を行い、植物を育成する。各種機器の詳細については、後述する。
【００４３】
クラウド５００を介して送受信される情報は記録装置４００（クラウド５００内に存在）に記録され、蓄積される。したがって、記録装置４００は、栽培装置３００から送信された植物の生育情報および栽培装置３００の可動状況を記録するとともに、携帯通信端末２００から栽培装置３００に送信された育成制御情報を随時記録する。随時記録された生育情報および育成制御情報は、育成履歴情報および制御履歴情報として蓄積される。
栽培システム１００においてはクラウド５００を介して情報が送受信されるため、アクセス変動の多い場合であっても容易に対応することができる。
【００４４】
なお、図１においては、便宜上、１個の栽培装置３００で生育する場合について明示したが、実際の栽培システム１００は、図２に示すように、ユーザの携帯通信端末２００と当該ユーザの所有する１または複数の栽培装置３００とがクラウド５００を介して多数接続される。
【００４５】
携帯通信端末２００のユーザそれぞれが図１に示したようにクラウド５００を介して栽培装置３００の制御を行うことにより、記録装置４００には、クラウド５００を介して送受信されたさまざまなユーザによる膨大量の情報がビッグデータとして蓄積される。クラウド５００は、栽培装置３００から都度送信された植物の生育情報の解析を行うほか、ビッグデータを利用して生育履歴情報育および制御履歴情報について解析を行い、解析結果を携帯通信端末２００に送信することによって、携帯通信端末２００のユーザが栽培システム１００内で容易に利用することができる態様で解析結果をユーザに還元する。
【００４６】
このような態様でクラウド５００による解析結果がユーザに還元されることにより、ユーザによる栽培システム１００の利用が促進される。その結果、たとえば、路地栽培またはハウス栽培で収穫可能であってもいわゆる植物工場では同じように（大きさ、色、形状、種類および再現率などの観点で）収穫することが不可能であった収穫物、路地栽培およびハウス栽培のいずれでも収穫不可能であった収穫物（たとえば、医療、美容、健康補助などの分野で有用な特定の成分を特徴的な量で含む植物）の創出促進が期待できる。
【００４７】
クラウド５００による解析対象の一例である植物の生育情報には、現状の生育状態に関する情報、および育成過程における生育変化に関する情報を含む。
【００４８】
現状の生育状態に関する情報としては、植物の各器官（葉、軸、花、実、根）の大きさ、数、形状ならびに色、各器官に含まれる栄養状態、病気の有無または程度、および成長障害の有無または程度などの情報が挙げられる。これらの情報は、植物の画像データ、植物または栽培装置３００内の環境に関する計量データなどの情報源を解析することにより得ることができる。クラウド５００は、これらの情報源を解析して、生育情報として通信端末２００へ送信する。
【００４９】
育成過程における生育変化に関する情報は、上述の生育状態の変化量として導かれる。これにより、植物の各部の大きさ、数、形状ならびに色の変化、各部に含まれる栄養状態の変化、病気の進行または治癒、成長障害の進行または治癒、および植物が取り入れた養分（水、二酸化炭素、養分など）の量を知ることができる。
【００５０】
クラウドにより解析されたこれらの情報は、通信端末２００を利用する一般ユーザが一見して把握容易であるように簡易形式に変換されて表示されることができるため、たとえ一般ユーザが植物について専門知識がなくとも、生育情報を容易に扱うことができる。このため、ユーザが次に栽培装置３００に送信すべき育成制御情報を自力で設定することができる。
なお、簡易表示形式としては、解析結果を単純化して示したアイコン、テキスト、数値、およびグラフ等により示された形式が挙げられる。
【００５１】
クラウド５００による解析対象の他の例である育成制御情報は、栽培装置３３００に設けられた各機器に対する制御条件、制御を行うタイミング、および制御を解除して育成を終了（収穫）するタイミングについての情報を含む。クラウド５００は、栽培装置３００から受信した生育情報について、すでに記憶装置４００に蓄積された生育情報および育成制御情報を加味して分析を行い、次に推奨される育成制御案を自動フィードバックにより提案する。このため、ユーザは、次に栽培装置３００に送信すべき育成制御情報をクラウドの判断に委ねることができる。
【００５２】
（栽培装置）
図３は、栽培装置３００の一例を示す模式図である。
図３に示すように、栽培装置３００は、照明装置３１０、枠体３２０、撮像装置３３０、栽培容器３４０、環境制御装置３５０，３６０を含む。
栽培装置３００の枠体３２０は、栽培空間として密閉空間または開放空間を構成する構造を有し、栽培空間を上下段に配し、それぞれの栽培空間に栽培容器３４０をそれぞれ１個配設する。それぞれの栽培空間は、太陽光が遮断されていることが好ましい。
【００５３】
栽培容器３４０で栽培される植物は、野菜、花、草、果物などを含む。これらの植物は、いわゆる植物工場で収穫できることがわかっているものに限られず、路地栽培またはハウス栽培で収穫可能であってもいわゆる植物工場では同じように（大きさ、色、形状、種類および再現率などの観点で）収穫することが未知である植物、および、路地栽培およびハウス栽培のいずれでも収穫不可能であった植物（たとえば、医療、美容、健康補助などの分野で有用な特定の成分を特徴的な量で含む植物）であってもよい。
【００５４】
照明装置３１０、撮像装置３３０、栽培容器３４０、環境制御装置３５０，３６０は、ユーザが所望の種類のものを選択することでカスタマイズすることもできる。
【００５５】
図３に示すように、上下段の栽培空間それぞれに撮像装置３３０が配設される。撮像装置３３０は、例えば、ビデオカメラ、デジタルカメラであってもよいし、赤外線カメラ、サーモカメラ、光合成量測定カメラ、その他生育測定が可能なカメラであってもよい。これらのカメラによって得られる画像は、クラウド５００内の記録装置４００に記録されるとともに、クラウド５００によって、植物の各器官（葉、軸、花、実、根）の大きさ、数、形状ならびに色、各器官に含まれる栄養状態、病気、および成長障害について定性的および／または定量的に自動解析される。自動解析の結果は、記録装置４００に記録されるとともに、育成制御案として、または簡易表示形式として、ユーザへ還元される。したがって、たとえば研究者および生産者などの専門家によって（専門情報として、または勘として）扱われていた生育状態に関する有用な情報を、専門知識のないユーザでも利用することが可能になる。
【００５６】
撮像装置３３０は、植物の生育状況を連続して、または所定の間隔で撮像することができる。
【００５７】
栽培容器３４０は、ガラスまたはプラスチック製の水耕栽培用の容器である。栽培容器３４０は、水耕栽培の容器の他、人工土壌または天然土壌を入れる植木鉢など、栽培する植物の種類などによって適宜選択されてよい。
【００５８】
環境制御装置３５０は、栽培空間の気相部分に設置されるものであり、たとえば、二酸化炭素濃度、気温、湿度、照度、微小粒子状物質などを計測する。さらに、二酸化炭素濃度、気温、湿度、微小粒子状物質などの気相構成要素を制御する機構を有する。具体的に環境制御装置３５０としては、二酸化炭素濃度測定器と二酸化炭素供給装置、温度計とエアコン、湿度計と加湿器および／または除湿器、空気清浄機が挙げられる。
上述の他、環境制御装置３５０としては、気流制御が可能な送風ファンも挙げられる。
【００５９】
環境制御装置３６０は、栽培空間の根圏付近に設置されるものであり、たとえば、水温、水中成分などを測定する。さらに、水温、養分などの根圏環境構成要素を制御する機構を有する。具体的に環境制御装置３６０としては、水温計と水温ヒータおよび／または水温クーラ、水中成分測定器と養液供給装置および／または水中成分除去装置が挙げられる。
上述の他、環境制御装置３６０としては、水流制御が可能な水流発生装置も挙げられる。
【００６０】
環境制御装置３５０，３６０としては、放射線量計が設けられていてもよい。この場合、所定の線量を超えるとアラームが携帯通信端末２００に送信されてもよい。
さらに、それぞれの栽培空間には、重量計が設けられてもよい。また、それぞれの栽培空間には、自動収穫機が設けられてもよい。
【００６１】
照明装置３１０は、光源として、たとえば、発光ダイオード（以下、単にＬＥＤと略記する）、有機エレクトロルミネッセンス、高圧ナトリウムランプ、メタルハライドランプ、および蛍光ランプから選択されてよい。
【００６２】
照明装置３１０の一例として、図４に示す照明ユニット３１００から構成されるものであってよい。図４は、照明ユニット３１００の模式的正面図である。照明ユニット３１００は、基板３１１０と、基板３１１０に実装されたＬＥＤ３１２０とを含む。図５は、照明ユニット３１００を複数連結させて拡張することにより構成される照明装置３１０の模式的正面図である。
【００６３】
基板３１１０は、正六角形の形状を有するリジッド回路基板、フレキシブル回路基板、またはリジッドフレキシブル基板である。基板３１１０の大きさは、正六角形の一片が２．５ｃｍである。
基板３１１０の材料には、例えば、セラミックス、合成樹脂および金属から当業者によって適宜選択されるものが含まれてよい。より具体的には、ガラスエポキシ基板及びガラスコンポジット基板などの複合材料が用いられてよい。また、遮熱塗料の塗布等による表面加工処理、絶縁層等による積層処理がなされたものであってよい。
【００６４】
基板３１１０の一方の面に、ＬＥＤ３１２０として、ＬＥＤ３１２１，３１２２，３１２３，３１２４の４種類の単色ＬＥＤが固定される。これらＬＥＤとしては、電極を備えたパッケージ材料内にＬＥＤ素子が実装された、表面実装型のものが用いられる。ＬＥＤ３１２１，３１２２，３１２３，３１２４がそれぞれ発する光の主波長は互いに異なる。具体的には、ＬＥＤ３１２１は赤色光（以下、赤色ＬＥＤ３１２１と略記する）、ＬＥＤ３１２２は青色光（以下、青色ＬＥＤ３１２２と略記する）、ＬＥＤ３１２３は赤外光（以下、赤外ＬＥＤ３１２３と略記する）、ＬＥＤ３１２４は白色光（以下、白色ＬＥＤ３１２４と略記する）を発する。
【００６５】
赤色ＬＥＤ３１２１、青色ＬＥＤ３１２２および赤外ＬＥＤ３１２３は、１枚の基板３１１０につきそれぞれ２個ずつ、合計６個固定される。６個のＬＥＤはいずれも基板３１１０の中心から等しい距離で配置され、それぞれ、異種のＬＥＤが隣り合うように、正六角形の各頂点付近に互いに等間隔で配置される。白色ＬＥＤ３１２４は１枚の基板３１１０につき１個、基板３１１０の中央に配置されて固定される。
【００６６】
赤色光、青色光および赤外光は、植物が持つ特定の受容体によって認識されることが知られている。植物受容体に認識される光の特定の主波長と特定の生育反応（たとえば、種子発芽、花芽分化、開花、子葉展開、葉緑素合成、および節間伸長を含む光形態形成をもたらす生体反応、ならびに光合成）との間には相関関係が見出されている。
【００６７】
基板３１００の各辺には端子３１３０が設けられる。さらに基板３１１０の回路は、端子３１３０と赤色ＬＥＤ３１２１、青色ＬＥＤ３１２２、赤外ＬＥＤ３１２３および白色ＬＥＤ３１２４それぞれのパッケージ電極との間を電気的に接続する。基板３１１０の回路および端子３１３０は、赤色ＬＥＤ３１２１、青色ＬＥＤ３１２２、赤外ＬＥＤ３１２３および白色ＬＥＤ３１２４がそれぞれ独立して制御可能であるように設計される。一方、同じ色のＬＥＤは、それぞれ連動して制御可能であるように設計されてもよいし、それぞれ独立して制御可能であるように設計されてもよい。
独立して制御可能であるような設計は、独立制御すべきＬＥＤの種類および／または数に応じた数の制御系を、それぞれの制御系が並列して機能するように備えることによってなされる。
【００６８】
照明ユニット３１００は、図５に示すように、基板３１１０が、他の基板３１１０と、各辺が互いに突き合わされるように結合され、照明装置３１０を構成する。基板３１１０が互いに結合されることにより、基板３１１０表面が二次元的に拡張され、基板３１１０が一面に敷き詰められる態様となる。このため、照明装置３１０全体におけるＬＥＤ３１２０の配置が好ましく分散され、照射光の均一化を図ることができる。
【００６９】
この場合においては、基板３１１０の端子３１３０と、他の基板３１１０の端子３１３０とが接続される。各辺には、基板３１１０同士が互いに機械的結合が可能となるよう、雄型結合部３１１１および雌型結合部３１１２が形成されていてよい。これにより、照明ユニット３１００と他の照明ユニット３１００とは、直接、電気的および機械的に連結される。
【００７０】
照明装置３１０における各照明ユニット３１００は、すべてデイジーチェーン接続されている。具体的には、１個の照明ユニット３１００に設けられた端子３１３０のうち２個のみが、電気的および機械的な結合に寄与する。その他の端子３１３０が存在する辺においては、雄型結合部３１１１および雌型結合部３１１２によって機械的にのみ結合している。
また、一の照明装置３１０には、デイジーチェーン接続による直列回路がただ１つ存在してもよいし、個別に制御可能な直列回路が複数存在してもよい。
【００７１】
携帯通信端末２００は、赤色ＬＥＤ３１２１、青色ＬＥＤ３１２２、赤外ＬＥＤ３１２３および白色ＬＥＤ３１２４それぞれを独立して制御する。一方、同じ色のＬＥＤは、それぞれ連動して制御してもよいし、それぞれ独立して制御してもよい。
【００７２】
光源の制御においては、主として明るさを調節する。明るさの制御は、電流値またはパルス幅を２５６階調（０から２５５）で変えることによって行われる。具体的には、開花時期、結実時期、植物形態および栄養成分等の調節を行う目的で、植物の様々な光応答反応（生育反応）を利用し、植物の種類および生育ステージ等に応じて特定の主波長の光を単独または組み合わせて照射することができる。
また、携帯通信端末２００は、一の照明装置３１０が複数の直列回路を有する場合、それぞれの直列回路を独立して制御することもできる。
上述のような制御は、携帯通信端末２００によるクラウド５００を介した遠隔操作によって行われる。
【００７３】
［他の例］
図６は、照明ユニット３１００の他の例である照明ユニット３１００ａの模式的正面図である。照明ユニット３１００ａは、正六角形の基板３１１０の代わりに正方形の基板３１１０ａを用いるものである。基板３１１０ａの一方の面には、赤色ＬＥＤ３１２１、青色ＬＥＤ３１２２、白色ＬＥＤ３１２４の３種類の単色ＬＥＤが固定される。このうち、赤色ＬＥＤ３１２１および青色ＬＥＤ３１２２は、１枚の基板３１１０ａにつきそれぞれ２個ずつ、合計４個固定される。４個のＬＥＤそれぞれは、異種のものが隣り合うように、正方形の各頂点付近に互いに等間隔で配置される。白色ＬＥＤ３１２４は１枚の基板３１１０ａにつき１個、正方形の中央に配置されて固定される。
【００７４】
図７は、照明ユニット３１００の他の例である照明ユニット３１００ｂの模式的正面図である。照明ユニット３１００ｂは、正六角形の基板３１１０の代わりに、同形の点対称曲線４本で外周が構成される変形矩形状の基板３１１０ｂを用いるものである。基板３１１０ｂの一方の面には、赤色ＬＥＤ３１２１、青色ＬＥＤ３１２２、赤外ＬＥＤ３１２３、白色ＬＥＤ３１２４および緑色ＬＥＤ３１２５の５種類の単色ＬＥＤが固定される。緑色光も、赤色光、青色光および赤外光と同様、植物の生育反応に関与するものである。赤色ＬＥＤ３１２１、青色ＬＥＤ３１２２、赤外ＬＥＤ３１２３および緑色ＬＥＤ３１２５は、１枚の基板３１１０ｂにつき１個ずつ、それぞれ変形矩形の各頂点付近に等間隔で配置される。白色ＬＥＤ３１２４は１枚の基板３１１０ｂにつき１個、変形矩形の中心に配置されて固定される。
また、基板３１１０ｂの外周には、他の基板３１１０ｂとの電気的および機械的接続を可能にする端子３１３０ｂと、他の基板３１１０ｂとの機械的接続を可能にする雄型結合部３１１１ｂおよび雌型結合部３１１２ｂが形成される。
【００７５】
図８は、照明ユニット３１００の他の例である照明ユニット３１００ｃの模式的正面図である。照明ユニット３１００ｃは、正六角形の基板３１１０の代わりに、欠切部３１１３を有する基板３１１０ｃを用いるものである。欠切部３１１３は、基板３１１０ｃの六角形の頂点部それぞれに設けられている。
また、基板３１１０ｃの外周には、他の基板３１１０ｃとの機械的接続を可能にする雄型結合部３１１１ｃおよび雌型結合部３１１２ｃが形成される。
【００７６】
図９は、照明装置３１０の他の例である照明装置３１０ｃの模式的正面図である。照明装置３１０ｃは、照明ユニット３１００ｃが複数連結されて構成されるものである。照明装置３１０ｃは、複数の基板３１１０ｃが結合されることによって、拡張された表面が全て基板３１１０ｃで敷き詰められることなく、基板３１１０ｃに形成された欠切部３１１３によって囲まれた開口部Ｓが形成される。このような開口部Ｓの形成は、熱放出の観点から好ましい場合がある。
【００７７】
図１０は、照明装置３１０の他の例である照明装置３１０ｄの模式的正面図である。照明装置３１０ｄは、照明ユニット３１００同士が複数個連結されることによって、全体としてリング状を形成しているものである。
これによって、少ない照明ユニット数で広い範囲を照射することができる。また、類似の態様として、より少ない数の照明ユニット３１００を用いてリング状（または内側が照明ユニット３１００によって敷き詰められた円状）の照明装置を構成した場合、小型の植物栽培装置で栽培される植物に対してまんべんなく照射することができる。
【００７８】
図１１は、照明装置３１０の他の例である照明装置３１０ｅの模式的斜視図である。照明装置３１０ｅは、互いに異なる形状の基板３１１０，３１１０ｅをそれぞれ有する照明ユニット３１００，３１００ｅが互いに組み合わされて連結される。これによって、基板３１１０，３１１０ｅの表面が三次元的に拡張され、多面体の少なくとも一部（以下、面構造体と記載する）を形成する。このとき、面構造体は、ＬＥＤ３１２０が面構造体外部表面に固定されているように形成される。これにより、照明装置３１０ｅにおいては、面構造体の外部表面に固定されたＬＥＤ３１２０が面構造体外部の多くの方向を向いている。このため、ＬＥＤ３１２０として指向性が強いものを使用したものであっても、容易に広範囲を照射することが可能である。
【００７９】
図１２は、照明装置３１０の他の例である照明装置３１０ｆの模式的一部切り欠き斜視図である。照明装置３１０ｆは、互いに異なる形状の基板３１１０，３１１０ｅをそれぞれ有する照明ユニット３１００，３１００ｅが互いに組み合わされて連結される。これによって、基板３１１０，３１１０ｅの表面が三次元的に拡張され、多面体の少なくとも一部（以下、面構造体と記載する）を形成する。このとき、面構造体は、ＬＥＤ３１２０が面構造体内部表面に固定されているように形成される。これにより、照明装置３１０ｆにおいては、面構造体の内部表面に固定されたＬＥＤ３１２０の全てが面構造体内部を向いている。したがって、面構造体内部に照射対象である植物を配置することによって、照射対象を包囲または被覆し、集中的な照射を行うことが可能である。面構造体を照射対象に近い大きさで構成すると、まんべんなく近接照射を行うことが可能である。
【００８０】
［変形例］
上述の照明装置の例において、基板３１１０，３１１０ａ，３１１０ｅの形状として正方形、正五角形、正六角形を挙げたが、他の多角形、好ましくは正多角形であってもよい。また、多角形としては、互いに結合することにより拡張可能な形状であればどのような形状で合ってもよく、凸多角形及び凹多角形も問わない。
さらに、上述の例において、基板３１１０ｂの形状として変形矩形状を、基板３１１０ｃの形状として変形正六角形を挙げたが、他の変形多角形であってもよい。変形多角形には、多角形の頂点同士を直線の代わりに曲線で結んで構成される形状、および多角形の一部に各切部が形成された多角形が含まれる。
【００８１】
上述の例において、欠切部３１１３が、基板３１１０ｃの正多角形（正六角形）の頂点に凹部として形成された例を挙げたが、欠切部３１１３の基板上の位置および形状はこれに限定されない。たとえば、基板内部に形成された貫通孔であってもよいし、基板の形状における頂点以外の端部に形成された凹部であってもよい。たとえば凹多角形は、欠切部を有する基板形状の一例である。欠切部を有する基板を用いる場合、複数の基板が結合されることにより、拡張された表面が全て基板で敷き詰められることなく必然的に開口部が形成される。このような開口部の形成は、熱放出等の観点から好ましい場合がある。
【００８２】
上述の例において、ＬＥＤ３１２０としては表面実装型のものを挙げたが、砲弾型ＬＥＤその他いかなる形状のＬＥＤであってもよい。また、固定方法としては基板表面に直接実装する態様を挙げたが、ＬＥＤ３１２０の固定態様は着脱可能のもの、例えばソケットを使用するものであってもよい。
【００８３】
上述の例において、光源として単色光源を挙げたが、光源は、単色光源および複色光源を問わない。単色光源は、１個の光源が発色可能な光の主波長が１種であることに対し、複色光源は、１個の光源が発色可能な光の主波長が複数である。複色光源が発する主波長の制御は、当業者によって適宜行われる。
【００８４】
基板上に固定される光源は、一部またはすべてが複色光源であってよい。基板上に固定される光源のすべてが複色光源である場合、少なくとも２個の光源がそれぞれ独立して、少なくとも互いに異なる主波長の光を発するように制御される。具体的には、独立して制御すべき光源それぞれが発する光の主波長、または主波長および明るさが制御される。
これによって、例えば図４、図６、図７、図８に示すように１個の照明ユニット内で複数の主波長を有する光を発生させることができる。
【００８５】
また、基板に固定される光源の数は上述の例に限定されない。具体的には基板の表面積などの要因によって異なり得るが、例えば、２個以上２０個以下、２個以上１５個以下、または２個以上１０個以下であってよい。
１個の基板の表面積も特に限定されないが、例えば、１５０ｃｍ２以下である。当該範囲に含まれる上限値は、１３０ｃｍ２、１００ｃｍ２、５０ｃｍ２、３０ｃｍ２、１５ｃｍ２、１０ｃｍ２または５ｃｍ２であってもよい。当該範囲に含まれる下限値は特に限定されないが、例えば、１ｃｍ２、５ｃｍ２、１０ｃｍ２、１５ｃｍ２、３０ｃｍ２、５０ｃｍ２、１００ｃｍ２または１３０ｃｍ２であってもよい。基板の表面積が小さい照明ユニットほど、照明装置を構成する際の自由度が大きくなる点で好ましい。たとえば、図１０に例示するリング状など特定の平面形状の外周および／または内周を、滑らかな曲線により近くなるように構成することができる。また、図１１に例示する特定の立体形状の外表面及び図１２に例示する特定の立体形状の内表面を、滑らかな曲面により近くなるように構成することができる。さらに、複雑な凹凸外周および／または凹凸内周を有する平面形状、または複雑な凹凸表面を有する立体形状を構成することがより容易になる。
【００８６】
基板に固定された各光源の配置ピッチも特に限定されない。具体的には光源の大きさによって異なりうるが、照明ユニット内で、または照明装置全体で、隣り合う光源間の最短中心間距離の平均が、たとえば光源の最大径の５倍以下、３倍以下、２倍以下、１．５倍以下または１．３倍以下であることが好ましい。当該範囲に含まれる下限値は特に限定されないが、例えば光源の最大径と同じ長さである。
ここで、光源間の最短中心間距離とは、一の光源と、当該一の光源と隣り合う他の光源のうち当該一の光源の最も近くに存在する光源との、それぞれの中心を結ぶ距離である。照明装置においては、当該一の光源と当該隣り合う他の光源とは、両方とも同一照明ユニット内に存在する場合と、それぞれ隣接する異なる照明ユニット内に存在する場合とがある。また、光源の最大径とは、基板面と並行な方向における最大径である。
【００８７】
あるいは、照明ユニット内で、または照明装置全体で、隣り合う光源間の最短中心間距離の平均値が、５０ｍｍ以下、３０ｍｍ以下、２０ｍｍ以下、１０ｍｍ以下または５ｍｍ以下であってよい。当該範囲に含まれる下限値は小さいほど好ましい場合があり、特に限定されるものではないが、たとえば０．１ｍｍである。
【００８８】
さらに、照明装置全体において、光源の配置の分散は均一に近いことが好ましい。つまり、照明装置の光源から発せられる異なる主波長の光それぞれが、照射対象表面において互いに混合されるように、光源が配置されていることが好ましい。具体的には、照明装置全体において、全ての光源間の最短中心間距離が同じであるほど好ましい。つまり、照明装置全体における光源間の最短中心間距離の標準偏差が０であることが最も好ましく、０に近いほど好ましい。
たとえば、照明装置全体において、最短中心間距離の最小値に対する最短中心間距離の最大値の比（最短中心間距離の最大値／最短中心間距離の最小値）が、１以上１．５以下、好ましくは１以上１．３以下、より好ましくは１以上１．２以下である。
これによって、複数の異なる主波長の光の均一化を図ることができる。光の均一化によって、同じ条件で植物生育を制御した場合の生育再現性を良くすることができる。
【００８９】
上述の例において、照明装置３１０，３１０ｃ，３１０ｄ，３１０ｅ，３１０ｆにおけるそれぞれの照明ユニット３１００，３１００ｃ，３１００ｅ同士の電気的接続としてデイジーチェーン接続を挙げたが、スター型接続であってもよい。
【００９０】
上述の例において、照明装置３１０ｅ，３１０ｆの面構造体は、複数の形状の基板３１１０，３１１０ｅを有する照明ユニット３１００，３１００ｅの組み合わせで構成されるものを挙げたが、同一の形状の基板を有する照明ユニットから構成されてもよい。
【００９１】
照明ユニット３１００，３１００ａ，３１００ｂ，３１００ｃ，３１００ｅによって、以下の効果が奏される。
【００９２】
照明ユニット３１００，３１００ａ，３１００ｂ，３１００ｃ，３１００ｅにおいては、１つの照明ユニット３１００中に、互いに異なる主波長の光を発する複数種のＬＥＤ３１２０が含まれ、且つ基板３１１０，３１１０ａ，３１１０ｂ，３１１０ｃ，３１１０ｅが拡張可能であるため、照明ユニット３１００，３１００ａ，３１００ｂ，３１００ｃ，３１００ｅを複数結合させることにより、植物および／または植物生育場所等の様々な状況に応じ、所望の大きさおよび形状を有する照明装置を構成することができる。
【００９３】
また、基板３１１０，３１１０ａ，３１１０ｅが多角形であるため、照明ユニット３１００，３１００ａ，３１００ｅの形状を単純にすることができ、照明ユニット３１００，３１００ａ，３１００ｅの拡張も容易に行うことができる。
【００９４】
特に、基板３１００は六角形であり、基板３１００ｃは変形正六角形であるため、照明ユニット３１００の拡張により構成される照明装置３１０，３１０ｃ，３１０ｄの形状について高い自由度を得られる。
【００９５】
照明ユニット３１００，３１００ａ，３１００ｂ，３１００ｃ，３１００ｅにおいては、ＬＥＤ３１２０が赤色光、青色光、緑光および赤外光から選ばれる光を発するため、植物生育用途に好ましく適用できる。また、白色ＬＥＤ３１２４を使用することにより、生育中の植物の色の識別が容易になる。
【００９６】
照明ユニット３１００，３１００ａ，３１００ｂ，３１００ｃ，３１００ｅにおいては、複数種のＬＥＤ３１２０がそれぞれ個別に明るさ制御されるため、植物の種類および／または生育ステージに応じて様々なパターンの色を照射することが容易になる。
【００９７】
照明ユニット３１００，３１００ａ，３１００ｂ，３１００ｃ，３１００ｅにおいては、光源としてＬＥＤ３１２０が用いられているため、照明ユニット３１００，３１００ａ，３１００ｂ，３１００ｃ，３１００ｅの省エネルギー化および長寿命化を図ることができる。
【００９８】
照明装置３１０，３１０ｃ，３１０ｄ，３１０ｅ，３１０ｆは、照明ユニット３１００，３１００ｃ，３１００ｅが互いにデイジーチェーン接続されているため、電気経路を簡素にすることができる。
【００９９】
照明装置３１０ｅ，３１０ｆは、基板３１１０，３１１０ｅが互いに異なる形状を有しており、照明ユニット３１００，３１００ｅの組み合わせ拡張により形状の自由度が高い。
【０１００】
（栽培システムの基本プログラム）
続いて、栽培システムの動作概略について説明を行なう。まず、図１３は、栽培システム１００における制御の一例を示すフローチャートである。また、図１４は、携帯通信端末２００の表示画面２１０の一例を示す模式図であり、図１５は、携帯通信端末２００の表示画面２１０の他の例を示す模式図であり、図１６は、携帯通信端末２００の表示画面２１０の他の例を示す模式図である。
【０１０１】
図１に示した、携帯通信端末２００の表示画面２１０のアプリ７００が、ユーザにより起動された場合、図１３に示すように、処理が開始される。
まず、栽培装置３００からクラウド５００を介して、植物の現状についての生育情報を携帯通信端末２００へ送信する（ステップＳ１）。栽培装置３００からクラウド５００へ送信された生育情報およびクラウド５００から携帯通信端末２００へ送信された生育情報は、記録装置４００に記録される。
【０１０２】
携帯通信端末２００は、受信した植物の生育情報を表示画面２１０に表示する（ステップＳ２）。
例えば、図１４に示すように、携帯通信端末２００の表示画面２１０には、観察画面が表示される。図１４の表示画面２１０には、上段の植物の画像２４１、現在の環境制御装置３５０，３６０の計測結果２４２が表示される。
【０１０３】
また、画面切替えコマンド２４３を選択することにより、下段の植物の情報に切り替えることができる。画像２４１を選択することにより、過去１日、過去１週間、過去１月の画像データを連続表示させ、植物が生長する様を短時間で観察することができる。また、画像２４１が動画データの場合には、早送り再生、一時停止などを選択することができる。
【０１０４】
環境制御装置３５０，３６０の測定結果は、図１４に示すように現状のもののみであってもよいし、過去の測定結果に基づいて経時的に表示（たとえばグラフ表示などの簡易表示）されたものであってもよい。これによって、ユーザは、環境変化を容易に把握することができる。環境制御装置３５０，３６０の測定結果は、クラウド５００による自動解析結果として表示される。
【０１０５】
さらに、図１４の表示画面２１０においては、クラウド５００によって提示される育成制御案にアクセスできるアイコンが表示されてもよい。育成制御案は１または複数が提示されてよい。育成制御案が複数提示される場合は、植物の生育状態を複数想定し、想定されたそれぞれの生育状態を導くために推奨される育成制御案が提示されてよい。ユーザは、提示された育成制御案を選択することによって、後述のステップＳ３以降の処理を行うための育成制御情報を決定することができる。
【０１０６】
上記の育成制御案に代えて、またはそれに加えて、後述のマーケットサイトへアクセスできるアイコンが表示されていてもよい。ユーザは、マーケットサイトから育成制御情報を購入することによって、後述のステップＳ３以降の処理を行うための育成制御情報を決定することができる。
【０１０７】
さらに、図１４に示す画像２４１に加えて、クラウド５００による自動解析結果が表示（好ましくは簡易表示）されていてもよい。これによって、ユーザは生育状況を把握し、後述のステップＳ３以降の処理を行うための育成制御情報を自力で判断して決定することができる。
【０１０８】
以上のようにして、ユーザは、携帯通信端末２００の表示画面２１０を確認し、植物の生育状況を把握し、育成制御情報を決定する。
なお、栽培システム１００において、ユーザは、育成制御情報を決定するために、完全マニュアルモード、完全オートモード、およびハイブリッドモードを選択することができる。
【０１０９】
完全マニュアルモードにおいては、ユーザは、育成過程の全ての工程において全ての育成制御情報の決定を自力で行う。したがって、ユーザオリジナルの育成制御情報が構築される。この場合、クラウド５００による育成制御案が表示されないように設定することができる。
【０１１０】
完全オートモードにおいては、ユーザは、育成過程の全ての工程において全ての育成制御情報をクラウド５００による育成制御案、または、購入した育成制御情報に委ねる。したがって、すでに構築されている育成制御情報が再生される。
【０１１１】
ハイブリッドモードにおいては、ユーザは、指示すべき育成制御情報として、自力での判断によって決定する育成制御情報、クラウド５００によって提示される育成制御案、および購入した育成制御情報を任意に組み合わせることができる。したがって、育成過程の一部の工程、および／または同時に送信する複数の育成制御情報の一部に、異なる手法で決定された育成制御情報が用いられる。これによって、すでに構築されている育成制御情報から膨大な育成制御情報のバリエーションがあらたに構築される。
【０１１２】
育成制御情報の決定の際、たとえば図１５に示すように、表示画面２１０にコントロール画面が表示される（ステップＳ３）。
【０１１３】
図１３に示すように、携帯通信端末２００は、コントロール画面を操作して所望の育成制御条件に調整し、および／または、コントロール画面において自動的に調整された育成制御条件を許可し、育成制御情報をクラウド５００経由で栽培装置３００へ与える（ステップＳ４）。
【０１１４】
栽培装置３００は、携帯通信端末２００からの指示を受信する（ステップＳ５）。栽培装置３００は、育成制御情報に従い、照明装置３１０、撮像装置３３０、環境制御装置３５０，３６０を制御する（ステップＳ６）。
【０１１５】
ここで、ステップＳ３乃至ステップＳ６までの処理の具体例について説明する。例えば、図１５に示すように、栽培装置３００の照明装置３１０の設定を制御する場合、赤色ＬＥＤ３１２１の調整を調整部２２５で行い、青色ＬＥＤ３１２２の調整を調整部２２６で行い、赤外ＬＥＤ３１２３の調整を調整部２２７で行い、白色ＬＥＤ３１２４の調整を調整部２２８で行い、一日の照射時間を調整部２２９で行なう。
【０１１６】
また、図１６で示すように、表示画面２１０の撮像装置３３０の設定は、秒単位、分単位、時単位、日単位、週単位、月単位、年単位を選択する選択ボックス２３１、各単位の数値を入力する入力ボックス２３２および白色ＬＥＤ３１２４を撮像のタイミングに連動して発光させるか否かのチェックボックス２３３を有する。
白色ＬＥＤ３１２４の連動点灯は、画像データを撮像する場合に、植物の色を明確に撮像することができる点で好ましい。
【０１１７】
例えば、入力ボックス２３２に「１」を入力し、秒単位の選択ボックスにチェックを入れた場合、１秒毎に撮像が行なわれ、入力ボックス２３２に「３」を入力し、分単位の選択ボックスにチェックを入れた場合、３分毎に撮像が行なわれる。
栽培装置３００は、図１６の表示画面２１０で指示された育成制御情報に従い撮像装置３３０を制御する。
なお、画像データは所定の間隔で撮像することにより得られるものに限られず、連続的に撮影された動画データであってもよい。
【０１１８】
また、携帯通信端末２００のアプリ７００は、表示画面２１０に、環境制御装置３５０，３６０を制御するためのコントロール画面も表示可能である。この場合、表示画面２１０の具体的内容は、図１５に準じて当業者が適宜決定できるため説明を省略する。栽培装置３００は、表示画面２１０で指示された育成制御情報に従い環境制御装置３５０，３６０を制御する。
【０１１９】
上述の育成制御情報は、栽培装置３００の上下段に配置された栽培空間それぞれに対して個々に送信されることによって、それぞれの栽培空間を独立して制御することができる。
【０１２０】
携帯通信端末２００は、クラウド５００を介して育成制御情報を栽培装置３００へ送信し（ステップＳ７）、栽培装置３００へ送信された育成制御情報の全ては、記録装置４００に記録される（ステップＳ８）。
【０１２１】
さらに、育成制御情報送信後の栽培装置３００の状況を、ステップＳ１およびステップＳ２と同様にして確認してもよい。
【０１２２】
最後に、図１３に示すように、携帯通信端末２００のアプリ７００が終了したか否かを判定する（ステップＳ９）。アプリ７００が終了されていないと判定された場合には、ステップＳ１の処理から再度、処理を繰り返す。一方、アプリ７００が終了したと判定された場合には、処理を終了する。
【０１２３】
（育成制御情報のデータマイニング）
記録装置４００に記録された育成制御情報は、クラウド５００による解析において、データマイニングが行われる。図１７は、記録装置４００の育成制御情報に関するデータマイニングの一例を示すフローチャートである。
【０１２４】
図１７に示すように、クラウド５００内の記録装置４００に記録された育成制御情報を収集する（ステップＳ１１）。
収集された育成制御情報は、その実績に従い、植物の種別、植物の生育段階、植物の最終形態の項目で区分される（ステップＳ１２）。
植物の種別の区分の例としては、大区分で野菜、果物、草、木、および花等、小区分でキャベツ、レタス、およびサニーレタス等が挙げられる。植物の生育段階の区分の例としては、種蒔期、苗期、成長期、収穫期等が挙げられる。植物の最終形態の区分の例としては、収穫物の大きさ、形状、色、成分（糖分、酸などの栄養素）が挙げられる。成分による区分に加えて、またはそれに代えて、嗜好（甘味、酸味、苦味、辛味、渋味などの味覚、および嗅覚など）で区分されてもよい。
【０１２５】
次に、それらの区分により分けられた育成制御情報の統計的処理、たとえば最適化を行う（ステップＳ１３）。なお、統計的処理の手法はこれに限定されるものではなく、平均化その他の統計的処理法が任意に行われてよい。
データマイニングの結果は、育成制御情報の解析結果としてクラウド５００を介し記録装置４００に記録される（ステップＳ１４）。
【０１２６】
（近距離無線通信装置から育成制御情報を読み込む）
図１８は、栽培システム１００において近距離無線通信装置を用いる一例を説明するフローチャートである。
【０１２７】
例えば、近距離無線通信装置であるＮＦＣ（Near field communication）タグは、植物の種苗を販売する販売店の棚、または当該植物の種苗の袋等に取り付けられている。
この場合、ＮＦＣタグには、陳列されている棚、または袋内に収容された種苗に関する育成制御情報が記録されている。
【０１２８】
ユーザは、種苗を購入する場合、取り付けられたＮＦＣタグを携帯通信端末２００で読み取る（ステップＳ２１）。次いで、生育制御情報を携帯通信端末２００内に記録する（ステップＳ２２）。
次いで、アプリ７００を起動し、当該育成制御情報を選択する（ステップＳ２３）。
最後に、当該育成制御情報を、購入した種苗を植えた栽培装置３００へ送信（ステップＳ２４）し、生育を行うことができる。この場合、ユーザは、購入した育成制御情報の全てを完全オートモードで再生してもよいし、育成制御情報の一部をハイブリッドモードで改変してもよい。
【０１２９】
上記の他、ＮＦＣタグに育成制御情報にアクセスするためのアドレスが記録されていてもよい。この場合、ユーザは当該アドレスを取得し、当該アドレスにアクセスすることで育成制御情報を入手することができる。
さらに上述の他、携帯通信端末２００にＮＦＣの通信装置が取り付けられている場合には、ユーザ間で育成制御情報を送受信してもよい。
【０１３０】
（他のユーザの生育情報および育成制御情報の閲覧）
図１９に、栽培システム１００において他のユーザの生育情報および育成制御情報を閲覧する場合の携帯通信端末２００の表示画面２１０の一例を示す。
表示画面２１０には、複数のユーザＡ，Ｂ，Ｃ，Ｄがそれぞれの携帯通信端末２００で制御している栽培装置３００内の植物の生育情報が表示される。生育情報としては、たとえばユーザＡが育成している植物の画像２４１Ａおよび計測結果２４２Ａが表示され、他のユーザについても同様の表示がされる。
【０１３１】
この場合、植物の画像２４１Ａは、育成過程における異なる時期の複数の画像が時系列順にコマ送り表示されるＧＩＦアニメーションオブジェクトとして表示される。ＧＩＦアニメーションオブジェクトを構成する画像の数は、たとえば４枚以上８枚以下、好ましくは５以上７枚以下、一例として６枚である。時系列順で最後に表示される画像を、最新の画像とする。画像２４１Ａは、栽培装置３００からクラウド５００が受信した画像データをクラウド５００が加工して作成するものであるため、当該ユーザよって改変されるおそれがない。このようなＧＩＦアニメーションオブジェクトは、他のユーザについても同様に表示され、それらが比較可能に並べられて表示される。このため、どのユーザが育成している植物が現在までどのように生長しているかを互いに比較しながら、容易にかつ効率よく把握することができる。
【０１３２】
ユーザは、図１９の表示画面２１０において、好ましく育成されていると判断したデータの表示部分を選択することによって、他のユーザがそのように育成するために指示した育成制御情報にアクセスし、入手することができる。
【０１３３】
（育成制御情報の提供および入手）
育成制御情報は有償および無償を問わない。
有償か無償であるかは、育成制御情報を提供したユーザ自身が選択することができる。
あるいは、提供された当初は育成制御情報は無償であり、当該育成制御情報が他のユーザによって完全再生モードで用いられるようにしてもよい。この場合、他のユーザによって完全再生モードにより当該育成制御情報がもたらす育成過程および／または収穫物について評価がなされ、一定の評価基準（たとえば、所定の数だけ肯定的な評価を得ること）をクリアしたことを条件に、有償化することができる。これによって、有償の育成制御情報の信頼性を担保することができる。
さらに、提供した育成制御情報が他のユーザによって改変されることを許可するか否かについても、ユーザが選択することができる。
【０１３４】
ユーザは、不特定多数の他のユーザに自らの育成制御情報を開示してよいことを宣言してもよいし、特定の他のユーザのみに開示が出来るように、当該他のユーザが極秘に知り得るパスワードを設定してもよい。
【０１３５】
育成制御情報が有償である場合、値段は、さまざまな条件に応じて付されてよい。
値段を差別化する条件としては、当該育成制御情報によって育成された収穫物の味覚、栄養素、外観、大きさ、および形状などの評価実績が挙げられる。これらの条件それぞれにランク付けがされており、ランクに従って異なる値段を付すことができる。なお、評価は、ユーザによってなされた主観的な評価が平均化などにより統計処理されたものであってもよいし、評価機関によって公正になされたものであってもよいし、栽培装置３００から取得した画像データの解析からクラウド５００によって自動的に評価されたものであってもよい。
【０１３６】
また、値段を差別化する条件としては、当該育成制御情報によって育成された収穫物の購入数、再購入率、購入層など、および当該育成制御情報自体の購入数および購入層などの購入実績も挙げられる。たとえば、購入数および／または再購入率がより高いものがより高額となるように値段を付すことができる。購入層としては、一般家庭、飲食店、研究者、農業従事者などが挙げられる。たとえば、一般家庭で購入された情報はより低額に、飲食店のうちたとえば料亭などの高級店で購入された情報はより高額に、研究者によって購入されたたとえば希少な情報はより高額に設定することができる。
【０１３７】
また、育成制御情報は、現金および仮想通貨の少なくともいずれかによって取引されてよい。仮想通貨は、栽培システム１００の利用実績、育成制御情報の購入実績、他のユーザへの育成制御情報の無償提供の実績などによりユーザが取得できるポイントであってもよい。
【０１３８】
また、栽培システム１００に最初に提供された時から一定の期間が経過した育成制御情報は、パブリックドメインとして無償化することもできる。これによって、ユーザによって新たな育成制御条件の探索が誘発され、植物育成技術を効率的に向上させることができる。
【０１３９】
図２０は、育成制御情報を入手するためのマーケットのサイトマップの一例を示す模式図である。
【０１４０】
マーケットサイト５５５は、栽培システム１００において携帯通信端末２００によってユーザがアクセス可能であり、所望の項目をたどっていくことにより、記録装置４００に蓄積された多数の育成制御情報から、所望の育成制御情報を選定することができる。
マーケットサイト５５５は、栽培システム１００のオーナーのサイトであってもよいし、種苗販売業者または農業協同組合のサイトでもよいし、ソーシャルネットワークのサイトであってもよい。
【０１４１】
例えば、図２０に示すように、植物種として「野菜」、「花」、「草木」、「果物」が選択可能である。たとえば「野菜」を選択した場合、「レタス」、「プチトマト」等の野菜種が選択可能となる。たとえば「レタス」を選択した場合、「甘味」、「苦味」等の味覚、および、「大きい」、「小さい」などの大きさの選択が可能となる。たとえば「甘味」を選択した場合、甘味が特徴的なレタスを育成するための育成制御情報が複数選択可能となる。育成制御情報としては、無料の情報Ａ、５０円の情報Ｂ、１万円の情報Ｃ等が提示される。育成制御情報には、ユーザによる評価がアイコンの形式で連動表示されてよい。
【０１４２】
ユーザは、複数の育成制御情報から一つを選択し、携帯通信端末２００にダウンロードすることができる。ダウンロードした情報は、栽培装置３００へ送信すべき育成制御情報として利用することができる。
【０１４３】
以上のように、本発明の栽培システム１００においては、ユーザによって制御される栽培装置３００が送信した生育情報および当該栽培装置へ送信された育成制御情報がクラウド５００により解析され、かつ、生育情報および育成制御情報の解析結果が、栽培システム１００内の栽培装置３００への制御のためにユーザ自身で利用可能な態様で還元される。これによって、ユーザによる栽培システム１００の利用が促進され、より有用な植物創出への好循環が起こる。
【０１４４】
本発明の栽培システム１００においては、クラウド５００による自動フィードバックによって育成制御案が提案されるため、ユーザは、育成工程のうち全部または一部の工程、および同時に供すべき複数の育成条件のうち全部または一部の条件の少なくともいずれかを、クラウドの判断に委ねることができる。
【０１４５】
本発明の栽培システム１００においては、クラウド５００による生育情報の解析結果が簡易表示形式に変換されてユーザの携帯通信端末２００の表示画面２１０に表示可能であるため、、たとえば研究者および生産者などの専門家によって（専門情報として、または勘として）扱われていた生育状態に関する有用な情報を、専門知識のない一般ユーザが容易に扱い、育成制御条件を自ら設定することができる。
【０１４６】
本発明の栽培システム１００においては、通信端末２００から栽培装置３００へ送信される育成制御情報のうちの一部は、クラウド５００による自動フィードバックによって提案された育成制御情報案に基づくことができる。また、ユーザは、育成工程のうち一部の工程のみ、および同時に供すべき複数の育成条件のうち一部の条件の少なくともいずれかにおいて、他のユーザから入手した育成制御情報を利用することができる。このため、ユーザオリジナルの育成制御情報を容易に構築することができる。
【０１４７】
本発明の栽培システム１００においては、購入された育成制御情報が、植物の生育による収穫物の味覚、栄養素、外観、大きさ、形状、購入数、再購入率ならびに購入層、および当該育成制御情報の購入数ならびに購入層の少なくともいずれかに応じて異なる値段が付されるため、収穫物の評価に応じた値段設定が可能である。
【０１４８】
本発明の栽培システム１００においては、他のユーザの栽培装置３００から送信される生育情報が、クラウド５００によって作成されたアニメーションオブジェクト２４１Ａ，〜，２４１Ｄとして携帯通信端末２００の表示画面２１０に表示されるため、他のユーザによって制御される生育の現状を、信頼性高い状態で、きわめて短時間で確認することができる。さらに、他のユーザによる育成制御情報を購入したい場合に、良好な生育結果を得るための育成制御情報に効率よくアクセスすることができる。
【０１４９】
本発明の栽培システム１００においては、栽培装置３００における照明装置３１０，３１０ｃ，３１０ｄ，３１０ｅ，３１０ｆが、光源と、光源を固定する基板３１１０，３１１０ａ，３１１０ｂ，３１１０ｃ，３１１０ｅとを含み、基板３１１０，３１１０ａ，３１１０ｂ，３１１０ｃ，３１１０ｅが他の基板との結合により拡張可能な形状を有する照明ユニット３１００，３１００ａ，３１００ｂ，３１００ｃ，３１００ｅにより構成されるため、照明ユニット３１００，３１００ａ，３１００ｂ，３１００ｃ，３１００ｅを複数結合させることにより、植物および／または植物生育場所等の様々な状況に応じ、所望の大きさおよび形状を有する照明装置を構成することができる。したがって、たとえば、良好な照射効率の確保、および照射むらの防止等が可能になる。
【０１５０】
本発明の栽培システム１００においては、通信端末２００が、近距離無線通信装置から育成制御情報を受信し、受信した育成制御情報をクラウド５００経由で栽培装置３００へ送信することにより、クラウドに存在しない育成制御情報を取得することも可能になる。
【０１５１】
本発明においては、栽培システム１００が「栽培システム」に相当し、栽培装置３００が「栽培装置」に相当し、携帯通信端末２００が「通信端末」に相当し、記録装置４００が「記録装置」に相当し、クラウド５００が「クラウド」に相当し、照明装置３１０，３１０ｃ，３１０ｄ，３１０ｅ，３１０ｆが「照明装置」に相当し、画像２４１Ａ，〜，２４１Ｄが「アニメーションオブジェクト」に相当し、図１３、１７、１８が栽培用プログラムおよび栽培方法に相当する。
【０１５２】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図１】
0006049767.tif 000002
【図２】
0006049767.tif 000003
【図３】
0006049767.tif 000004
【図４】
0006049767.tif 000005
【図５】
0006049767.tif 000006
【図６】
0006049767.tif 000007
【図７】
0006049767.tif 000008
【図８】
0006049767.tif 000009
【図９】
0006049767.tif 000010
【図１０】
0006049767.tif 000011
【図１１】
0006049767.tif 000012
【図１２】
0006049767.tif 000013
【図１３】
0006049767.tif 000014
【図１４】
0006049767.tif 000015
【図１５】
0006049767.tif 000016
【図１６】
0006049767.tif 000017
【図１７】
0006049767.tif 000018
【図１８】
0006049767.tif 000019
【図１９】
0006049767.tif 000020
【図２０】
0006049767.tif 000021